(57)【要約】【課題】ユーザーが撮像装置を把持した状態において、タッチパネル付き表示装置に隣接した押しボタンを操作する際に、タッチパネルを誤操作してしまう事を防止する事が可能な撮像装置を提供する事。【解決手段】撮像機能を持つ撮像装置と、押圧する事により各種機能を設定・変更できる入力操作部と、撮像装置を把持する把持部と、タッチによる入力操作が可能であり、取得した画像や各種設定画面等を表示する表示装置を持ち、表示装置は、表示面側の一部に凸形状を有し、前記表示装置と前記凸形状の延長線上に、撮像装置を把持した状態で操作可能な前記入力操作部が配置されている事を特徴とする構成とした。【選択図】  図２
2018077372.tif 000002
【特許請求の範囲】
【請求項１】
撮像機能を持つ撮像装置（１００）と、押圧する事により各種機能を設定・変更できる入力操作部（１４０）と、
撮像装置を把持する把持部（１０１）と、
タッチによる入力操作が可能であり、取得した画像や各種設定画面を表示する表示装置（１３０）を持ち、
前記表示装置（１３０）は、表示面側の一部に凸形状（１３３ａ）を有し、
前記表示装置（１３０）と前記凸形状（１３３ａ）の延長線上に、撮像装置を把持した状態で操作可能な前記入力操作部（１４０）が配置されている事を特徴とする撮像装置。
【請求項２】
請求項１の撮像装置（１００）において、前記凸形状（１３３ａ）は、前記入力操作部（１４０）側より前記表示装置（１３０）側の角部の丸みが小さい事を特徴とする撮像装置。
【請求項３】
請求項１の撮像装置（１００）において、前記表示装置（１３０）は回動可能な２軸ヒンジ（１３１）により支持されている事を特徴とする撮像装置。
【請求項４】
請求項３の撮像装置（１００）において、前記表示装置（１３０）を、表示面側が被写体方向になるよう回動させて撮像装置（１００）に収納した際、前記凸形状と対向する位置に凹形状（１０２）が設けられている事を特徴とする撮像装置。
【発明の詳細な説明】
【技術分野】
【０００１】
本発明は、タッチパネル機能付き表示装置を備える撮像装置に関して、特にタッチパネルへの誤操作を防止する構成に関するものである。
【背景技術】
【０００２】
従来から、各種設定を行うための複数の押しボタンを背面に備えた撮像装置が知られている。それぞれの押しボタンには、各種設定項目が割り当てられており、押しボタンを押圧する事で、その押しボタンに割り当てられた機能を実行する事ができる。
【０００３】
例えば特許文献１によれば、撮像装置を把持している状態において、ユーザーの指でそれぞれの押しボタンを操作する事ができる位置に、押しボタンを配置する事で、操作性を向上させる技術が開示されている。また、撮像装置のデータ入力手段としては、表示装置の表示面に設けられ、人の指先などでタッチする事により入力可能な、タッチパネル付き表示装置を備えた撮像装置が増えている。
【先行技術文献】
【特許文献】
【０００４】
【特許文献１】特開２００９−３１７６号公報
【発明の概要】
【発明が解決しようとする課題】
【０００５】
しかしながら、上述の特許文献に開示された撮像装置にタッチパネル付き表示装置を用いた場合、前記表示装置も、操作性向上のためにユーザーが撮像装置を把持している状態で操作できる位置に配置されている。そのため、押し釦と前記表示装置が隣接しているため、撮像装置を把持した状態で押しボタンを操作する際、意図せず前記表示装置に触れ、タッチパネルを操作してしまう恐れがある。
【０００６】
そこで、本発明の目的は、ユーザーが撮像装置を把持した状態において、タッチパネル付き表示装置に隣接した押しボタンを操作する際に、タッチパネルを誤操作してしまう事を防止する事である。
【課題を解決するための手段】
【０００７】
上記目的を達成するために、本発明は、撮像機能を持つ撮像装置と、
押圧する事により各種機能を設定・変更できる入力操作部と、
撮像装置を把持する把持部と、
タッチによる入力操作が可能であり、取得した画像や各種設定画面等を表示する表示装置を持ち、
表示装置は、表示面側の一部に凸形状を形成し、前記表示装置と前記凸形状の延長線上に、撮像装置を把持した状態で操作可能な入力操作部が配置されている事を特徴とする。
【発明の効果】
【０００８】
本発明によれば、ユーザーが撮像装置を把持した状態において、タッチパネル付き表示装置に隣接した押しボタンを操作する際に、タッチパネルを誤操作してしまう事を防止する事が可能な撮像装置を提供する事ができる。
【図面の簡単な説明】
【０００９】
【図１】本発明の実施形態に係る撮像装置の構成ブロック図である。
【図２】本発明の実施形態に係る撮像装置の外観斜視図である。
【図３】本発明の実施形態において、ユーザーが撮像装置を把持している状態を示した図である。
【図４】本発明の実施形態において、表示装置１３０の凸部１３３ａ部分の断面を簡略的に示した図である。
【図５】本発明の実施形態において、表示装置１３０を回動させた時の外観斜視図である。
【発明を実施するための形態】
【００１０】
以下に、本発明の好ましい実施の形態を、添付の図面に基づいて詳細に説明する。なお、共通する部分には同一の符号を付す。まずは、本実施形態に係る機器本体として、図１と図２を用いて撮像装置１００の構成を説明する。
【００１１】
図１は、本発明の実施形態に係る撮像装置１００の構成ブロック図である。図２は、本発明の実施形態に係る撮像装置１００を撮影者（ユーザー）側から見た外観斜視図である。図１および図２において、撮像装置１００は撮像素子１１０を有するデジタル撮像装置である。撮像素子１１０は、撮影レンズ（不図示）から取り込んだ撮影光束を光電変換する、ＣＭＯＳやＣＣＤなどから構成される。撮像素子１１０で得られた画像信号は、撮像装置１００の動作制御を行うＣＰＵ１２０で処理される。
【００１２】
撮像装置１００の背面には、撮像素子１１０によって取得される画像や、各種設定画面等を表示する表示装置１３０が設けられている。表示装置１３０はタッチパネル機能を有し、ユーザーが表示装置１３０の表面をタッチ操作やスライド操作する事で、表示切り換えや、レリーズ、撮像装置１００の各種設定変更を行う事ができる。表示装置１３０は、２軸ヒンジ１３１によって、撮像装置１００に対して回動可能に結合されている。
【００１３】
入力操作部１４０は押圧式の入力操作ボタンであり、各種設定変更や、撮影モードの切り替え、動画撮影の開始や終了といった入力操作を行う。表示装置１３０のタッチパネル機能や入力操作部１４０による入力は、ＣＰＵ１２０に伝達され、処理される。１５０は、撮影レンズ（不図示）から取り込んだ撮影光束が再結像された画像を表示するファインダである。ユーザーはファインダ１５０を覗きながら構図を決定して撮影を行う。また、ファインダ１５０を覗きながら、表示装置１３０のタッチパネル機能や入力操作部１４０を用いて、各種入力も行う事ができる。
【００１４】
図３は、本実施形態の撮像装置１００をユーザーが把持した状態を示す。本発明において、ユーザーが撮像装置１００を使用する際は、把持部１０１を右手で把持し、左手で不図示の撮影レンズを把持する。この把持状態でユーザーは、入力操作部１４０の近傍にある指を使用し、入力操作部１４０を操作する。また、表示装置１３０のタッチパネル機能を操作する場合も、把持部１０１を把持したまま、ユーザーは指を動かし、タッチ操作やスライド操作を行う。
【００１５】
表示装置１３０は、撮影画像等が表示される表示パネル１３２と、表示装置の筐体であるパネルカバー１３３を有している。パネルカバー１３３は、表示パネル１３２外周の平面形状の一部に、表示パネル１３２側に突き出した凸部１３３ａを有する。凸部１３３ａは、ユーザーが把持部１０１を把持したまま指で操作可能な位置にある。また、表示パネル１３２と凸部１３３ａの延長線上には、ユーザーが把持部１０１を把持したまま指で操作可能な入力操作部１４０が配置されている。換言すれば、表示パネル１３２と入力操作部１４０の間に、凸部１３３ａが配置されている。
【００１６】
これにより、ユーザーは入力操作部１４０を操作する際に、表示パネル１３２より先に凸部１３３ａに触れるため、意図せず表示パネル１３２に接触し、タッチパネル機能を誤操作する事を防止する事ができる。
【００１７】
図４は、本実施形態の凸部１３３ａの断面図を示す。凸部１３３ａは、前述した通り表示パネル１３２と入力操作部１４０の間に配置されている。凸部１３３ａには、表示パネル１３２側の角部１３３ｂ、入力操作部１４０側の角部１３３ｃを持つ。角部１３３ｃは、角部１３３ｂよりも丸みが大きい事を特徴とする。入力操作部１４０側の角部１３３ｃの丸みを大きくする事により、入力操作部１４０への入力操作の阻害を防ぎ、表示パネル１３２側の角部１３３ｂの丸みを小さくする事により、ユーザーが入力操作部１４０を操作時に、指が表示パネル１３２へ触れにくくなる。
【００１８】
図５は、撮像装置１００の表示装置１３０を回動させた状態を後方（ユーザー側）から見た斜視図である。
【００１９】
表示装置１３０は、回転中心軸Ａを軸に撮像装置１００より回動する。更に、回転中心軸Ｂを軸に回動させる事で、ユーザーはより自由なアングルで撮影を行う事が出来る。図５は、表示パネル１３２を後方（ユーザー側）に向けた状態である。この状態から、回転中心軸Ａで回動させ、撮像装置１００へ収納する際、前述した凸部１３３ａに対向する位置に凹部１０２が形成されている。これにより、凸部１３３ａが撮像装置１００側に向いた状態でも表示装置１３０を閉じる事ができる。
【００２０】
以上、本発明の好ましい実施形態について説明したが、本発明はこれらの実施形態に限定されず、その要旨の範囲内で種々の変形及び変更が可能である。
【符号の説明】
【００２１】
１００  撮像装置
１０１  把持部
１０２  凹部
１１０  撮像素子
１２０  ＣＰＵ
１３０  表示装置
１３１  ２軸ヒンジ
１３２  表示パネル
１３３  パネルカバー
１３３ａ  凸部
１４０  入力操作部
１５０  ファインダ
【図１】
2018077372.tif 000003
【図２】
2018077372.tif 000004
【図３】
2018077372.tif 000005
【図４】
2018077372.tif 000006
【図５】
2018077372.tif 000007